(57)【要約】【課題】ホール側と遊技機メーカのリスク低減を図りつつ、両者の利益を自動的に公正に配分する。【解決手段】パチンコホール利益配分システムは、パチンコホールのホール内の特定の領域に設置され、遊技機メーカから無償で設置された遊技機により構成される特定遊技機グループと、特定遊技機グループの各遊技機に接続され各遊技機の少なくとも投入媒体数と払い出し媒体数とを含む稼働データを収集するホール内コンピュータと、を備えている。ホール内コンピュータには、このホール内コンピュータで収集された特定遊技機グループの稼働データに基づいて特定遊技機グループの各遊技機の利益と、該利益に基づいて所定の演算により求められる遊技機メーカへの配分とを算出する利益配分手段を備える管理コンピュータが接続されている。【選択図】  図３
2009106347.tif 000002
【特許請求の範囲】
【請求項１】
パチンコホール内の特定の領域に設置され、遊技機メーカから無償で設置された遊技機により構成される特定遊技機グループと、
特定遊技機グループの各遊技機に接続され各遊技機の少なくとも投入媒体数と払い出し媒体数とを含む稼働データを収集するホール内コンピュータと、
前記ホール内コンピュータに接続され、該ホール内コンピュータで収集された前記特定遊技機グループの稼働データに基づいて前記特定遊技機グループの利益又は該グループ内の各遊技機の利益と、該利益に基づいて所定の演算により求められる遊技機メーカへの配分とを算出する利益配分手段を備える管理コンピュータと、
を備えてなる、パチンコホール利益配分システム。
【請求項２】
前記管理コンピュータは、予め定めた期間の経過が経過すると遊技機メーカへの配分比率を変動させる配分比率変動手段を備えている、請求項１記載のパチンコホール利益配分システム。
【発明の詳細な説明】
【技術分野】
【０００１】
この発明は、パチンコ台やパチンコスロットマシン（パチスロ）等の遊技機を配置したパチンコホールと遊技機を供給する遊技機メーカとの間で、遊技機を稼働することにより得られる利益を自動的に公平に配分するシステムに関する。
【背景技術】
【０００２】
パチンコホールに遊技機を導入するには、一般に、売買契約、割賦販売契約、レンタル契約、リース契約などの有償契約が前提となっている。したがって、ホール内に設置されている遊技機については、ホール側は稼働率や利益率に関係なく購入額の一括支払いか、毎月（一定期間毎）の遊技機コストに応じた一定額の支払いを要求される（例えば特許文献１）
しかしながら、ホール経営が困難な状況になると、新規遊技機設置時の一括支払による負担や定期的な支払い時のホール側の支払い負担は決して軽いとは言えず、また、折角、新規遊技機を設置しても、その稼働率が低い場合はキャッシュフローの面でますます困難が伴うことになる。
【０００３】
そこで、最近では、遊技機価格の低減プランやリース・レンタル契約の促進等の工夫がなされているが、ホール側の根本的な資金負担低減に至ることはなく、全体としての遊技機市場は、新規遊技機の導入に消極的な姿勢が見られる状況となっている。
【０００４】
そこで、この発明は、ホール側のリスク低減と遊技機メーカのリスク低減の両方を図りつつ、新規遊技機の導入が活発化するよう、両者の利益を自動的に公平に配分する利益配分システムを提供することを目的とする。
【特許文献１】特開２００４−３３７１０号公報
【発明の開示】
【発明が解決しようとする課題】
【０００５】
この発明のパチンコホール利益配分システムにおいては、パチンコホール内に特定遊技機グループを配置する。この特定遊技機グループは、遊技機メーカから無償で設置された遊技機により構成される。特定遊技機グループが配置される領域以外の領域には、遊技機メーカから購入又はレンタル等の有償契約により設置される通常の遊技機が配置される。
【０００６】
そして、特定遊技機グループの各遊技機に接続され各遊技機の少なくとも投入媒体数と払い出し媒体数とを含む稼働データを収集するホール内コンピュータと、前記ホール内コンピュータに接続され、該ホール内コンピュータで収集された前記特定遊技機グループの稼働データに基づいて前記特定遊技機グループの利益又は該グループの各遊技機の利益と、該利益に基づいて所定の演算により求められる遊技機メーカへの配分とを算出する利益配分手段を備える管理コンピュータと、
を備える。
【０００７】
上記の構成からなるパチンコホール利益配分システムでは、特定遊技機グループに属する複数の各遊技機については、その設置についてホール側の資金負担がゼロであって、且つ、ホール側と遊技機メーカ側の利益配分が自動的に算出され、メーカ側の利益配分データについては管理コンピュータで自動計算される。
【０００８】
上記の構成において、前記管理コンピュータは、予め定めた期間の経過が経過すると遊技機メーカへの配分比率を変動させる配分比率変動手段を備えても良い。配分比率を固定にするかどうかはホール側とメーカ側との合意により決めることができるが、例えば、最初の配分比率はホール側が高く、徐々にホール側が低くなるように設定することで、初期段階で資金面で相対的に脆弱なホール側のリスクを低減し、且つ、メーカ側の利益を損なわないようにすることができる。
【発明の効果】
【０００９】
ホールの一部の領域（島）に新規遊技機を設置する際に、ホールは初期投資がゼロである一方、メーカは設置後の運用による利益の一部を受け取ることができるため、ホールとメーカの双方のリスク低減と最大公約数的利益を追求することが可能になる。また、メーカでの在庫転用を図ることができるため、遊技機の流通を活性化する効果がある。
【発明を実施するための最良の形態】
【００１０】
図１は、この発明の実施形態であるパチンコホール利益配分システムの構成図である。
【００１１】
同図において、パチンコホール（以下、ホール）１のホール内は、遊技機（パチンコ台又はパチスロ機）２が設置される複数の島に区分され、さらに、これらの島は、通常遊技機グループＧ１と、特定遊技機グループＧ２とに区分されている。
【００１２】
通常遊技機グループＧ１に属する遊技機２は、ホール１が遊技機メーカやその販売会社（以下、単にメーカと言う）から買い取ったもの、又はレンタル・リース契約等により設置されたものである。特定遊技機グループＧ２に属する遊技機２は、メーカがホールに対して無償で設置したものであり、後述の利益配分の演算式に従って、メーカとホール間で稼働による利益配分を行う遊技機となっている。すなわち、特定遊技機グループＧ２に属する遊技機２の設置に要する初期コストは全てメーカが負担している一方、その運用によって得られる利益の幾らかはメーカに配分される。
【００１３】
ホール内には、各遊技機２の稼働データ、すなわち、各遊技機２の少なくとも投入媒体数（パチンコ玉又はコイン等の投入数）と払い出し媒体数とを含む稼働データを収集するホールコンピュータ３が設置されている。ホールコンピュータ３は、隣り合う遊技機２の間に配置されている台間機４に接続されており、これらの台間機４を介して、稼働データを収集する。稼働データには、上記の投入媒体数、払い出し媒体数とともに、紙幣入金額、プリペイドカードの処理データ等も含まれ、ホールコンピュータ３は、これらの稼働データを遊技機２毎に処理してホール全体の経営情報を作成する。なお、本実施形態でのホールコンピュータ３は、ホール内に一般的に設けられている所謂ホールコンピュータと称されるものであるが、これに限定されることはなく、ホール内に設置されたものであればどのようなコンピュータであっても良い。本発明では、このコンピュータをホール内コンピュータと定義している。
【００１４】
ホールコンピュータ３は、メーカが管理する管理コンピュータ５にネットワークや電話回線等の通信路６を介して接続されている。
【００１５】
管理コンピュータ５は、ホールコンピュータ３で処理された稼働データの中から、特定遊技機グループＧ２にのみ属する遊技機２の稼働データ、特に、各遊技機の稼働による利益確定のために必要な最小限の稼働データを受信し、受信したデータに基づいて後述の特定の演算式により、ホール利益とメーカ利益を算出する。
【００１６】
図２は、ホールコンピュータ３と遊技機２に接続される台間機４の概略構成図を示している。
【００１７】
台間機４は、入力されたプリペイドカードの処理や投入紙幣の処理を行うカード・紙幣入力部４０と、これらの入力処理時においてカード残度数表示等を行う表示器４１と、ホールコンピュータ３及び遊技機２との間で通信処理を行う通信部４２とを備えている。
【００１８】
制御部４３は、通信部４２を介して遊技機２内に投入された媒体数や払い出された媒体数を含む稼働データを遊技機２から受け取り、これをホールコンピュータ３に送信する。
【００１９】
図３は、台間機４、ホールコンピュータ３、管理コンピュータ５間のデータ受け渡し図を示している。
【００２０】
メーカ７は、第１のステップ（１）において、ホール１に区分けされた特定領域内に契約による複数の遊技機２を特定遊技機グループＧ２として設置し、その遊技機２を特定するためのデータをホール１に送信する。このデータはホール内管理コンピュータ１０に入力される。このとき、特定遊技機グループＧ２に属する各遊技機２は無償で設置され、その運用管理はメーカ７又はホール１の責任において行われる。
【００２１】
第２のステップ（２）では、特定遊技機グループＧ２に属する各遊技機２の運用が開始され、その稼働データは定期的に又は常時、ホールコンピュータ３に送信される。上述のように、ホールコンピュータ３は、ホールに既に設けられている既存のものであっても良いし、上記稼働データのみを扱う特定のコンピュータであっても良いが、少なくとも上記稼働データ、すなわち、特定遊技機グループＧ２に属する各遊技機の少なくとも投入媒体数と払い出し媒体数とを含む稼働データを台間機４から受信する機能があれば良い。また、投入媒体数及び払い出し媒体数を含む稼働データは、遊技機が設置される設置台（島）上部の幕板部に汎用設置されるいわゆるイン・アウトカウンターが集計する投入媒体数及び払い出し媒体数を流用することも可能である。なお、図3は、ホールコンピュータ3をホール1の外側に配置した図となっているが、実際はホール1内に設けられている。
【００２２】
第３のステップ（３）では、ホールコンピュータ３は、上記稼働データを管理コンピュータ５に送信する。ホールコンピュータ３が、通常遊技機グループＧ１及び特定遊技機グループＧ２に属しているすべての遊技機２からのデータ（稼働データ、入金データ、カードデータ等のデータ）を受信している場合には、それらのデータ中から上記稼働データのみを抽出して管理コンピュータ５に送信する。
【００２３】
第４のステップ（４）では、管理コンピュータ５は、ホールコンピュータ３から受信した稼働データ（特定遊技機グループＧ２に属する各遊技機２の投入媒体数と払い出し媒体数）に基づいて、特定遊技機グループＧ２の全遊技機の利益と、該利益に基づいて下記の演算式（Ａ）により求められる遊技機メーカへの配分とを算出する。
【００２４】
利益金額＝総投入媒体数＊２０円−（総払い出し媒体数＊（２０円＊交換率））
−−−−（式Ａ）
ただし、「２０円」は、媒体１個当たりの貸し出し金額であり、（２０円＊交換率）は、媒体１個当たりの買い取り額である。この「交換率」はホール側によって設定される。
【００２５】
第４のステップ（４）では、管理コンピュータ５は、さらに下記の演算式（Ｂ）により利益金額の遊技機メーカへの配分を算出する。
【００２６】
メーカ利益＝利益金額＊５０％−−−−（式Ｂ）
演算式（Ｂ）の根拠は、遊技機の無償設置に対するメーカのリスク担保にある。つまり、メーカ７は、特定遊技機グループＧ２に遊技機２を無償で設置する代償として、その運用によって得られた利益の一部を受け取るようにすることで、メーカ側の損失を防ぐ。一方、ホール１は、特定遊技機グループＧ２に遊技機２を無償で設置できる代わりに、その運用によって得られた利益の一部をメーカ７に支払うことで、ホール側の過大利益を防ぐ。このように、演算式（Ｂ）により、両者の利益バランスを図ることができる。管理コンピュータ５は、メーカ利益を算出すると、その結果をホール１側のホール管理コンピュータ１０に通知する。なお、メーカ利益は全利益からホール利益を差し引いたものであるから、ホール利益も当然に算出される。ホール管理コンピュータ１０は、メーカ利益に相当する金額を銀行のメーカ名義口座に自動振込するための処理を行う。
【００２７】
上記演算式（Ｂ）において、利益配分比率「５０％」については、これを時系列で変動させることが可能である。
【００２８】
例えば、最初の１カ月目は「７０％」、続く２カ月目は「６０％」、その後は「５０％」と変動させることにより、メーカのリスクを軽減させることが可能である。ホール側は、遊技機設置に対する負担はなく、その場所の提供や運用に伴う負担だけとなるため、
上記のように配分比率を変動させる（メーカへの配分を最初は高くしておき、徐々に下げる）のは有意な方法である。このように配分比率を変動させるためには、管理コンピュータ５に、カレンダ機能と、所定期日に配分比率を変動させる機能があれば良い。
【００２９】
図４は、上記パチンコホール利益配分システムの動作手順を示すフローチャートである。
【００３０】
このシステムでは、利益配分比率を経時的に変動させるようにしている。
【００３１】
ステップＳＴ１では、最初のメーカ配分比率βを７０％に設定する。次のステップＳＴ２では、ホールコンピュータ３が、特定遊技機グループＧ２内の全遊技機の総払い出し媒体数Ｎ１と総投入媒体数Ｎ２とを取得し、これを管理コンピュータ７に送信する。管理コンピュータ７は、上記演算式（Ａ）により利益金額Ｐを求める（ステップＳＴ３）。続いて、メーカ利益ＰＭを上記演算式（Ｂ）により求める（ステップＳＴ４）。求めたメーカ利益ＰＭをホール管理コンピュータ１０に送信する（ステップＳＴ５）。１カ月が経過するまで、上記ステップＳＴ２〜ステップＳＴ５を毎日１回繰り返す。すなわち、１日毎にメーカ利益ＰＭを求めて、ホール管理コンピュータ１０に送信する。
【００３２】
１カ月が経過した時点で、メーカ配分比率βを６０％に設定し、さらに１カ月が経過するまで上記ＳＴ２〜ステップＳＴ５を毎日１回繰り返す。２カ月が経過した時点で、メーカ配分比率βを５０％に設定し、以後、このメーカ配分比率βを固定値として上記ＳＴ１〜ステップＳＴ５を毎日１回繰り返す。
【００３３】
メーカ配分比率の決め方は、上記のように一定期間毎の所定値への変動性にしても良いし、月ごとの利益に応じて変動させるようにしても良い。例えば、ある月においてメーカ利益額がその月の遊技機償却額未満であれば、翌月のメーカ利益配分比率βを＋５％し（この値は任意である）、メーカ利益額がその月の遊技機焼却額以上であれば、翌月のメーカ利益配分比率βを−５％する（この値は任意である）。遊技機償却が終了すると、メーカ利益配分比率βを一定の低配分比率に固定する。このように、月ごとの利益と償却額とを基準にしてメーカ利益配分比率を自動的に変動させることにより、より、公平な利益配分が可能となる。
【００３４】
なお、上記演算式（Ｂ）は、下記演算式（Ｃ）のようにしても良い。
【００３５】
メーカ利益＝利益金額＊５０％−固定費用−−−（式Ｃ）
固定費用とは、ホール１が、特定遊技機グループＧ２のための領域を維持するための費用や光熱費用、その他運用に要する費用に相当する。
【００３６】
以上説明したように、本実施形態のパチンコホール利益配分システムによれば、ホールは初期投資がゼロである一方、メーカは運用による利益の一部を受け取ることができるため、ホールの資金力が低下しているときに、遊技機を流通させ得る効果がある。
【００３７】
具体的には、次の利点がある。
【００３８】
（ホール側）
（１）イニシャルコストが全くかからない。
【００３９】
（２）導入した遊技機の稼働が低調な場合でも無償入れ換えが可能となるため、機種選対リスクが軽減される。
【００４０】
（３）実現利益からの支出となるため支払いリスクが低く、資金繰り等の計算がしやすい。
【００４１】
（メーカ側）
（４）一定期間中の島が確保されることで、年間の販売・利益予算の裏付けにつながる。
【００４２】
（５）在庫を転用でき、面替え施策の実施により資産の有効活用が図れるかめ経営効率が向上する。
【００４３】
（６）ホールとのスクラム体制が実現しやすくなり、ホール経営ノウハウの取得につながる。
【００４４】
（７）ホールでの実際の稼働データを次以降の機種の開発に利用でき、トラブル発生時には柔軟な対応が可能となる。
【００４５】
なお、利益配分比率βの変動パターンを決めるためのパラメータには、経過時間、利益の他、遊技機稼働率や特定遊技機グループＧ２の売上変化等がある。また、管理コンピュータ５は、ホール側に設けても、メーカ側に設けても、又は第３者が管理できるように設けても良い。また、管理コンピュータの機能をホールコンピュータ３に設けても良いし、ホールコンピュータ３の機能を管理コンピュータ５に設けても良い。
【００４６】
本実施形態では、特定遊技機グループＧ２内に設置された遊技機２を無償としているが、一旦、有償で設置した通常遊技機グループＧ１内の任意の遊技機２を、後に特定遊技機グループＧ２内に含まれるようにすることも可能である。すなわち、通常遊技機グループＧ１内の任意の遊技機２について、購入額又は償却後の残額でメーカに有償譲渡し、これを無償で特定遊技機グループＧ２内に再設置する。また、反対に、特定遊技機グループＧ２内の遊技機２についてホール側が償却後の残額で購入し、これを特定遊技機グループＧ２から通常遊技機グループＧ１に移動する。このように、ホール内の遊技機全てを対象として柔軟にグループ間を移動できるようにしておくことにより、ホールとメーカのリスク分散や在庫調整をさらに効果的に行うことができて、双方の最大公約数的利益の追求が可能となる。
【図面の簡単な説明】
【００４７】
【図１】この発明の実施形態であるパチンコホール利益配分システムの概略構成図である。
【図２】台間機の構成図である。
【図３】台間機４、ホールコンピュータ３、管理コンピュータ５間のデータ受け渡し図である。
【図４】パチンコホール利益配分システムの動作手順を示すフローチャートである。
【図１】
2009106347.tif 000003
【図２】
2009106347.tif 000004
【図３】
2009106347.tif 000005
【図４】
2009106347.tif 000006